(57)【特許請求の範囲】
【請求項１】
光源の配光特性を測定するための配光特性測定装置であって、
所定の相対関係をもって配置された複数の検出器を備え、１つの検出器の検出範囲の少なくとも一部は隣接する他の検出器の検出範囲と重複しており、さらに
前記複数の検出器を一体として駆動することで、前記複数の検出器の前記光源に対する位置関係を更新する駆動手段と、
前記複数の検出器が同一のタイミングで取得したそれぞれの検出結果に基づいて、前記複数の検出器の相対関係および検出範囲の重複の少なくとも一方に応じた処理を行ない、前記光源の配光特性を算出する算出手段とを備え、
前記複数の検出器は、各々の光軸方向が互いに平行になるとともに、各々の検出範囲の一部が他の検出器の検出範囲と重複するように、配置され、
前記算出手段は、重複している検出範囲に含まれる各測定点について、当該測定点について複数の検出器が算出したそれぞれの検出結果のうち１つの検出結果のみを有効化する、または、当該測定点について複数の検出器が算出したそれぞれの検出結果を平均化した結果を出力する、配光特性測定装置。
【請求項２】
光源の配光特性を測定するための配光特性測定装置であって、
所定の相対関係をもって配置された複数の検出器を備え、１つの検出器の検出範囲の少なくとも一部は隣接する他の検出器の検出範囲と重複しており、さらに
前記複数の検出器を一体として駆動することで、前記複数の検出器の前記光源に対する位置関係を更新する駆動手段と、
前記複数の検出器が同一のタイミングで取得したそれぞれの検出結果に基づいて、前記複数の検出器の相対関係および検出範囲の重複の少なくとも一方に応じた処理を行ない、前記光源の配光特性を算出する算出手段とを備え、
前記複数の検出器は、各々の光軸方向が予め定められた基準点を向くとともに、それぞれの検出範囲が実質的に一致するように、配置され、
前記算出手段は、第１の検出器があるタイミングで取得した第１の検出結果を前記第１の検出器の位置情報に関連付けて格納するとともに、第２の検出器が当該タイミングで取得した第２の検出結果を、前記第１の検出器の位置情報を第１および第２の検出器の間の相対関係に応じて補正することで得られる位置情報に関連付けて格納する、配光特性測定装置。
【請求項３】
前記算出手段は、検出器の検出範囲に含まれる複数の測定点の別に、配光特性を算出する、請求項１または２に記載の配光特性測定装置。
【請求項４】
前記駆動手段は、前記光源と前記複数の検出器と間の位置関係を異なる２つの軸方向にそれぞれ独立に変更する、請求項１〜３のいずれか１項に記載の配光特性測定装置。
【請求項５】
光源の配光特性を測定するための配光特性測定方法であって、
複数の検出器を、所定の相対関係をもって配置するとともに、１つの検出器の検出範囲の少なくとも一部を隣接する他の検出器の検出範囲と重複させて配置するステップと、
前記複数の検出器を一体として駆動することで、前記複数の検出器の前記光源に対する位置関係を更新するステップと、
前記複数の検出器が同一のタイミングで取得したそれぞれの検出結果に基づいて、前記複数の検出器の相対関係および検出範囲の重複の少なくとも一方に応じた処理を行ない、前記光源の配光特性を算出するステップとを備え、
前記複数の検出器は、各々の光軸方向が互いに平行になるとともに、各々の検出範囲の一部が他の検出器の検出範囲と重複するように、配置され、
前記算出するステップは、重複している検出範囲に含まれる各測定点について、当該測定点について複数の検出器が算出したそれぞれの検出結果のうち１つの検出結果のみを有効化するステップ、または、当該測定点について複数の検出器が算出したそれぞれの検出結果を平均化した結果を出力するステップを含む、配光特性測定方法。
【請求項６】
光源の配光特性を測定するための配光特性測定方法であって、
複数の検出器を、所定の相対関係をもって配置するとともに、１つの検出器の検出範囲の少なくとも一部を隣接する他の検出器の検出範囲と重複させて配置するステップと、
前記複数の検出器を一体として駆動することで、前記複数の検出器の前記光源に対する位置関係を更新するステップと、
前記複数の検出器が同一のタイミングで取得したそれぞれの検出結果に基づいて、前記複数の検出器の相対関係および検出範囲の重複の少なくとも一方に応じた処理を行ない、前記光源の配光特性を算出するステップとを備え、
前記複数の検出器は、各々の光軸方向が予め定められた基準点を向くとともに、それぞれの検出範囲が実質的に一致するように、配置され、
前記算出するステップは、第１の検出器があるタイミングで取得した第１の検出結果を前記第１の検出器の位置情報に関連付けて格納するとともに、第２の検出器が当該タイミングで取得した第２の検出結果を、前記第１の検出器の位置情報を第１および第２の検出器の間の相対関係に応じて補正することで得られる位置情報に関連付けて格納するステップを含む、配光特性測定方法。
【請求項７】
前記算出するステップは、検出器の検出範囲に含まれる複数の測定点の別に、配光特性を算出するステップを含む、請求項５または６に記載の配光特性測定方法。
【請求項８】
前記位置関係を更新するステップは、前記光源と前記複数の検出器と間の位置関係を異なる２つの軸方向にそれぞれ独立に変更するステップを含む、請求項５〜７のいずれか１項に記載の配光特性測定方法。
【発明の詳細な説明】
【技術分野】
【０００１】
本発明は、光源の配光特性を測定するための配光特性測定装置および配光特性測定方法に関する。
【背景技術】
【０００２】
光源から照射される光の特性の一つとして、配光特性が知られている。配光特性は、光源による光度（あるいは、輝度）の空間分布を意味する。配光特性としては、絶対値配光および相対値配光のいずれもが使用される。絶対値配光は、光度の絶対値の空間分布を測定したものであり、光源が発生する全光束を求めるような場合などに利用される。一方、相対値配光は、光度の相対値の空間分布を測定したものであり、配光パターンを求めるような場合などに利用される。一般的に、複雑な配光パターンを有する光源や、その特性が未知の光源について、その配光特性を測定することは、容易ではない。
【０００３】
このような配光測定に関して、例えば、特開２００８−７０２９０号公報（特許文献１）は、測定対象の発光源試料を３６０度回転させる機構を備え、受光器をＺ軸に対し一方向に±９０度のみの移動で３次元配光特性を測定可能とする省スペースの装置を開示する。
【先行技術文献】
【特許文献】
【０００４】
【特許文献１】特開２００８−７０２９０号公報
【発明の概要】
【発明が解決しようとする課題】
【０００５】
上述の先行技術に開示される装置では、発光面の比較的大きな光源についてその配光特性を測定することは容易ではない。すなわち、発光面が比較的大きな光源の配光特性を測定しようとすると、装置が複雑化および大型化するといった課題があった。
【０００６】
本発明の目的は、装置構成を大きくすることなく、光源の配光特性を効率的に測定できる配光特性測定装置およびそれに向けられた配光特性測定方法を提供することである。
【課題を解決するための手段】
【０００７】
本発明のある局面に従えば、光源の配光特性を測定するための配光特性測定装置が提供される。配光特性測定装置は、所定の相対関係をもって配置された複数の検出器を含む。１つの検出器の検出範囲の少なくとも一部は隣接する他の検出器の検出範囲と重複している。配光特性測定装置は、さらに、複数の検出器を一体として駆動することで、複数の検出器の光源に対する位置関係を更新する駆動手段と、複数の検出器が同一のタイミングで取得したそれぞれの検出結果に基づいて、複数の検出器の相対関係および検出範囲の重複の少なくとも一方に応じた処理を行ない、光源の配光特性を算出する算出手段とを含む。
【０００８】
好ましくは、複数の検出器は、各々の光軸方向が互いに平行になるとともに、各々の検出範囲の一部が他の検出器の検出範囲と重複するように、配置される。
【０００９】
さらに好ましくは、算出手段は、重複している検出範囲について対応する複数の検出器が算出したそれぞれの結果のうち１つの検出器が算出した結果のみを有効化する。
【００１０】
あるいは好ましくは、複数の検出器は、各々の光軸方向が予め定められた基準点を向くとともに、それぞれの検出範囲が実質的に一致するように、配置される。
【００１１】
さらに好ましくは、算出手段は、第１の検出器があるタイミングで取得した第１の検出結果を第１の検出器の位置情報に関連付けて格納するとともに、第２の検出器が当該タイミングで取得した第２の検出結果を、第１の検出器の位置情報を第１および第２の検出器の間の相対関係に応じて補正することで得られる位置情報に関連付けて格納する。
【００１２】
好ましくは、算出手段は、検出器の検出範囲に含まれる複数の測定点の別に、配光特性を算出する。
【００１３】
好ましくは、駆動手段は、光源と複数の検出器と間の位置関係を異なる２つの軸方向にそれぞれ独立に変更する。
【００１４】
本発明の別の局面に従えば、光源の配光特性を測定するための配光特性測定方法が提供される。配光特性測定方法は、複数の検出器を、所定の相対関係をもって配置するとともに、１つの検出器の検出範囲の少なくとも一部を隣接する他の検出器の検出範囲と重複させて配置するステップと、複数の検出器を一体として駆動することで、複数の検出器の光源に対する位置関係を更新するステップと、複数の検出器が同一のタイミングで取得したそれぞれの検出結果に基づいて、複数の検出器の相対関係および検出範囲の重複の少なくとも一方に応じた処理を行ない、光源の配光特性を算出するステップとを含む。
【発明の効果】
【００１５】
本発明によれば、装置構成を大きくすることなく、光源の配光特性を効率的に測定できる。
【図面の簡単な説明】
【００１６】
【図１】本実施の形態の関連技術に従って１台のカメラで光源の配光特性を測定する方法を説明するための図である。
【図２】本実施の形態の関連技術に従って１台のカメラで複数の発光面についての配光特性を測定する方法を説明するための図である。
【図３】本実施の形態の関連技術に従ってカメラおよび照度計のそれぞれで光源の配光特性を測定する方法を説明するための図である。
【図４】本実施の形態に従う配光特性測定装置の概要を説明するための図である。
【図５】光源を撮像する場合のカメラの設置位置を説明するための図である。
【図６】図５に示すそれぞれの設置位置において撮像された画像例を示す図である。
【図７】図６（ｂ）に示すそれぞれの画像を合成して得られる合成画像を示す図である。
【図８】光源の色度を測定する場合のカメラの設置位置を説明するための図である。
【図９】図８に示すカメラによって撮像されたそれぞれの画像を合成して得られる色度測定結果を示す図である。
【図１０】図９に示す色度測定結果から算出された光源表面の配光特性を示す図である。
【図１１】図１０に示す配光特性から算出された照度壁面の算出結果を示す図である。
【図１２】本実施の形態に従う配光特性測定装置の構成例（光源移動型）を示す模式図である。
【図１３】本実施の形態に従う配光特性測定装置の構成例（検出器移動型）を示す模式図である。
【図１４】本実施の形態に従う配光特性測定装置の電気的構成を示す模式図である。
【図１５】図１４に示すコンピュータの内部構成を示す模式図である。
【図１６】本実施の形態に従う配光特性測定装置を用いた配光特性測定の全体処理手順を示すフローチャートである。
【図１７】本実施の形態に従う配光特性測定装置におけるＸ軸およびＹ軸の移動方法を説明するための図である。
【図１８】図１６のステップＳ７に示すデータ格納処理の処理手順を示すフローチャートである。
【図１９】図１８におけるカメラ視野範囲内の測定点の選択処理および測定値の取得処理を説明するための図である。
【図２０】図１８における測定空間座標値の算出処理を説明するための図である。
【図２１】図１８における測定角度の算出処理を説明するための図である。
【図２２】図１８における測定角度の算出処理を説明するための図である。
【図２３】図１８における測定撮像座標値の算出処理を説明するための図である。
【図２４】図１８における測定値の取得処理および格納処理を説明するための図である。
【図２５】図１８における測定値の取得処理および格納処理を説明するための図である。
【図２６】図１６のステップＳ１０に示す照度算出処理の処理手順を示すフローチャートである。
【図２７】図２６における照度算出位置の決定処理を説明するための図である。
【図２８】図２６における照度算出位置に対する測定点の見込み角度の算出処理を説明するための図である。
【図２９】図２６における見込み角度の輝度の検索処理を説明するための図である。
【図３０】図２６における測定点における輝度の算出処理を説明するための図である。
【図３１】図２６における照度格納データへの光度の加算処理を説明するための図である。
【図３２】本実施の形態に従う配光特性測定装置において複数のカメラを平行配置した構成を示す模式図である。
【図３３】本実施の形態に従う配光特性測定装置において複数のカメラを所定角度ずらして配置した構成を示す模式図である。
【図３４】複数系統のカメラ群を用いた場合における光度の加算処理を説明するための図である。
【発明を実施するための形態】
【００１７】
本発明の実施の形態について、図面を参照しながら詳細に説明する。なお、図中の同一または相当部分については、同一符号を付してその説明は繰り返さない。
【００１８】
本実施の形態においては、主として、サンプル光源（以下、単に「光源」とも称す。）の配光特性（典型的には、配光輝度特性）を測定可能な配光特性測定装置について例示する。但し、本実施の形態に従う配光特性測定装置は、単なる配光特性に限られず、配光特性から算出される、光源の色度および波長情報、ならびに光源から照射される全光束などの各種光学特性を測定することもできる。
【００１９】
＜Ａ．関連技術＞
まず、本実施の形態に従う配光特性測定装置についての理解のため、本実施の形態の関連技術について説明する。本実施の形態の関連技術として、配光特性の測定方法について説明する。
【００２０】
（ａ１：関連技術に従う配光特性測定）
図１は、本実施の形態の関連技術に従って１台のカメラで光源の配光特性を測定する方法を説明するための図である。図１に示すように、所定の撮像視野を有するカメラ１０（一種の２次元センサー）を用いて、測定対象となる光源２による照度の配光特性（あるいは、光度の配光特性）を測定することができる。この場合、カメラ１０は、光源２の発光面の全体が撮像できる位置に、その光軸方向が発光面と垂直となるように設置される。ここで、カメラ１０で撮像される画像に対して、上下方向をＹ軸、左右方向をＹ軸とする。また、カメラ１０の光軸方向が光源２の発光面と垂直になった状態を、Ｘ軸角度＝０°、Ｙ軸角度＝０°と定義する。この状態を以下では「初期状態」とも称す。Ｘ軸およびＹ軸のそれぞれに対して±１８０°の範囲でカメラ１０を移動させつつ、カメラ１０で光源２を撮像することで、光源２の発光面についての配光特性（配光輝度特性）を取得することができる。
【００２１】
次に、発光面が複数存在する場合について考える。図２は、本実施の形態の関連技術に従って１台のカメラで複数の発光面についての配光特性を測定する方法を説明するための図である。図２には、複数の発光面が存在する場合の典型例として、複数の光源２Ａ，２Ｂが所定間隔だけ離れて配置されている例を示す。
【００２２】
図２（ａ）に示すように、Ｘ軸角度およびＹ軸角度がいずれも０°の位置にカメラ１０が設置された場合、カメラ１０の正面に位置する光源２Ａの表面については、０°における配光特性を取得できる。このとき同時に、カメラ１０の撮像エリア内にある別の光源２Ａの配光特性を取得できる。これらの点における配光角度は、カメラ１０の設置距離と発光点とのなす角度に相当する。
【００２３】
次に、図２（ｂ）に示すように、カメラ１０がＹ軸上を角度θだけ移動した場合、これらのなす角度はＹ軸角度が０°の状態におけるそれぞれの配光角度にＹ軸上の移動角度θを加算した角度となる。このように、角度を変えつつカメラ１０で光源２Ａ，２Ｂを撮像することで、それぞれの観測点における配光角度が算出される。これらの配光角度に基づいて、個々の光源表面における配光特性を求めることができる。ここで得られたデータは、測定対象である光源２Ａ，２Ｂに固有の特性となる。
【００２４】
図３は、本実施の形態の関連技術に従ってカメラおよび照度計のそれぞれで光源２の配光特性を測定する方法を説明するための図である。図３（ａ）に示すような方法で取得された光源表面における配光特性に基づいて、光源２を点光源とみなせる距離における全天球の面照度を算出することができる。本来の配光特性は、図３（ｂ）に示すように、光源２の発光面を点とみなせる距離で測定した結果に相当する。このような方法で取得された測定結果は、配光特性（照度の配光特性）となり、光度へ換算することで配光特性（光度の配光特性）を算出できる。このように光源表面の配光特性に基づく計算によって、任意の位置における照度を算出できる。
【００２５】
（ａ２：関連技術における不利点）
図３（ａ）に示すようなカメラ（２次元センサー）を用いて配光特性を測定する場合には、測定対象の光源２からの光をレンズで集光した上で、２次元センサーで受光し、この受光された結果に基づいて、光源２の表面輝度を測定する。この方法によれば、光源２に対する距離に依存することなく、光源２の表面輝度を測定することができる。さらに、二軸のゴニオメータに関連付けて、光源２を中心とする全球面／半球面にわたって、光源２を２次元センサーで測定することで、光源２の表面輝度の配光特性を取得できる。さらに、光源２の表面輝度の配光特性に基づいて、光源２を点光源とみなせる距離における照度を算出し、算出された照度を光度に変換することで、光源２の配光特性を取得できる。
【００２６】
この方法において、光源表面の情報についての空間分解能を高めるには、高精細な２次元センサーを用いる、および／または、光源２との距離を近づけて測定する、といった方法が採用される。これに対して、発光面が広い場合には、光源２とカメラ（２次元センサー）との距離を離す、および／または、視野範囲を拡大するための広角レンズを用いる、といった方法が採用される。
【００２７】
また、光源２から複数の情報（色度および波長情報など）を取得するためには、カメラ（２次元センサー）の前段に光学フィルターを装着する、および／または、ビームスプリッタなどを用いて、２次元センサーごとに光路を分けて計測を行なう、といった方法が採用される。このような２次元センサー（カメラ）を用いた配光測定については、以下のような不利点が挙げられる。
【００２８】
（１）  蛍光灯のように横長の光源の配光特性を１台のカメラを用いて測定する場合には、光源全体が撮像できる距離だけ離す必要があり、その撮像範囲内に光源の全体が含まれるようにカメラを設置した場合には、撮像範囲の縦方向に余分な空間（光源の測定に利用できない情報）が発生し、空間分解能が低下する。
【００２９】
（２）  互いに離れた複数の発光点を有する光源については、それらの発光点を撮像できる距離、および／または、それらの発光点を撮像できる広角レンズを用いる必要があり、空間分解能が低下する。
【００３０】
（３）  カメラ（２次元センサー）の前段に光学フィルターを装着した場合には、光学フィルターを適宜切り替える必要があるため、全体の測定時間がフィルター数だけ必要となり、またビームスプリッタを用いる場合には、光量の低下や多重反射の影響を受ける。
【００３１】
一方、図３（ｂ）に示すようなポイントセンサー（照度計）を用いて配光特性を測定する場合には、サンプルである光源を点光源とみなせる距離にポイントセンサーを設置する必要がある。また、指向性のある光源については、その指向性の受けにくい距離にポイントセンサーを設置する必要がある。このように設置されたポイントセンサーによって、照度を測定し、当該測定した照度を光度に換算し直すことで、対象となる光源の配光特性を取得できる。このようなポイントセンサーを用いた配光測定については、以下のような不利点が挙げられる。
【００３２】
（１）  光源が大きくなると、光源からより離れた位置にポイントセンサーを設置する必要があり、測定装置が大型化する。
【００３３】
（２）  指向性のある光源については、光源からの距離に依存してその特性が異なるため、配光特性を正確に測定することが難しい。
【００３４】
（３）  光源からの距離を異ならせた場合の測定結果を１回の測定で算出することができない。
【００３５】
＜Ｂ．本実施の形態の概要＞
次に、本実施の形態に従う配光特性測定装置の概要について説明する。図４は、本実施の形態に従う配光特性測定装置の概要を説明するための図である。図４を参照して、本実施の形態に従う配光特性測定装置は、所定の相対関係をもって配置された複数の検出器（２次元センサー／カメラ）を用いる。なお、後述するように、一方の検出器の検出範囲の少なくとも一部は、隣接する他の検出器の検出範囲と重複して設定される。図４（ａ）は、発光面が広い光源および／または複数の発光点を有する光源の配光特性を測定するのに適した構成例を示す。図４（ｂ）は、光源から複数のデータ（色度および波長情報など）を測定するのに適した構成例を示す。以下、これらの構成例について概略する。
【００３６】
（ｂ１：発光面が広い光源／複数の発光点を有する光源）
上述した関連技術に従えば、相対的に大きな光源を１台のカメラを用いて測定する場合には、光源とカメラ（２次元センサー）との距離を離す、および／または、視野範囲を拡大するための広角レンズを用いる、といった方法が採用される。また、複数の発光点を有する光源を１台のカメラを用いて測定する場合にも同様の手法が採用される。
【００３７】
これに対して、本実施の形態においては、図４（ａ）に示すように、平行に配置された複数のカメラ１１，１２が用いられる。カメラ１１，１２のそれぞれの光軸方向（撮像の向き）は、光源の表面の垂直方向と一致するように設定される。すなわち、複数の検出器（カメラ１１，１２）は、各々の光軸方向が互いに平行になるとともに、各々の検出範囲の一部が他の検出器の検出範囲と重複するように、配置される。
【００３８】
このようなカメラ１１，１２を採用することで、光源の配光特性を測定するのに必要なエリアを効率的に撮像することができる。すなわち、カメラ１１，１２を並列に設置することで、光源を拡大して撮像（測定）できる。
【００３９】
例えば、蛍光灯のように横長の光源を１台のカメラを用いて測定する場合には、撮像範囲の横方向に光源のすべてが含まれるようにその設置位置などが調整されるが、このように調整すると、撮像範囲の縦方向に余分な空間（光源の測定に利用できない情報）が発生し、空間分解能が低下する。また、光源の測定に利用できない情報を含む画像データを転送する無駄な時間が発生する。
【００４０】
これに対して、本実施の形態に従う複数のカメラ１１，１２を用いる方法によれば、上述した蛍光灯のような横長の光源に対しては、カメラ１１，１２を横方向に並べて配置することで、撮像範囲をより有効に利用して光源を撮像することができる。これによって、空間分解能を損なうことなく、光源の配光特性を効率的に測定できる。また、光源との距離を変化させたり、光源の大きさに応じてレンズを交換したりする必要はない。
【００４１】
本実施の形態に従う配光特性測定装置によれば、以下のような利点がある。
（１）  光源の大きさに影響されることなく、空間分解能を維持しつつ、配光特性を測定できる。
【００４２】
（２）  互いに離れた複数の発光点を有する光源に対して、それぞれの発光点に対応してカメラをそれぞれ設置することで、空間分解能を維持しつつ、配光特性を測定できる。
【００４３】
（３）  光源の大きさなどに応じて、光源に対するカメラの距離を変える必要がない。
（４）  光源の大きさなどに応じて、レンズの種類を変える必要がない。
【００４４】
（５）  発光点の間の距離が相対的に大きい場合であっても、それぞれの発光点に合わせてカメラを設置することで、測定空間を無駄に大きくする必要がない。
【００４５】
（６）  既存の配光特性測定装置に対して、既存のものと同一のカメラを追加することで、本実施の形態に従う配光特性測定装置を実現できる。
【００４６】
（ｂ２：複数のデータ（色度および波長情報など）の測定）
上述した関連技術に従えば、光源から複数の情報（色度および波長情報など）を取得するためには、カメラ（２次元センサー）の前段に光学フィルターを装着する、および／または、ビームスプリッタなどを用いて、２次元センサーごとに光路を分けて計測を行なう、といった方法が採用される。
【００４７】
これに対して、本実施の形態によれば、図４（ｂ）に示すように、複数のカメラ１１，１２，１３を光源からの距離が同一となるように並べて設置することで、複数の情報（色度および波長情報など）を取得する。より具体的には、カメラ１１，１２，１３は、いずれも共通のゴニオメータによって、光源２の設置位置に対応する点を中心として回転可能に配置される。カメラ１１，１２，１３のそれぞれの光軸方向（撮像の向き）は、回転軸の中心（光源２）に向いている。カメラ１１，１２，１３の各々から回転軸の中心からまでの距離は互いに同一になっている。すなわち、複数の検出器（カメラ１１，１２，１３）は、各々の光軸方向が予め定められた基準点（光源２の配置された中心位置）を向くとともに、それぞれの検出範囲が実質的に一致するように、配置される。
【００４８】
隣接するカメラ同士が回転軸の中心についてなす角度は、ゴニオメータがカメラ１１，１２，１３を回転駆動する角度ステップ（１移動あたりの角度）の整数倍と一致するように設定される。このように、カメラ１１，１２，１３を角度ステップの整数倍の角度に設定されることで、ゴニオメータを用いてカメラ１１，１２，１３を回転する場合に、各カメラは、最終的には同一位置（空間および角度）で測定を行なうことになり、同一光路上を再現できる。
【００４９】
また、カメラ１１，１２，１３をそれぞれ同時に撮像できるので、測定全体に要する時間を短縮できる。したがって、設置するカメラの台数に制約はなく、要求の測定時間などに応じて所定数のカメラを設置すればよい。カメラの台数に制約はないので、ビームスプリッタなどを用いる必要はなく、ビームスプリッタによる光量の低下や多重反射の影響を受けずに感度よく測定できる。
【００５０】
本実施の形態に従う配光特性測定装置定によれば、以下のような利点がある。
（１）  既存の配光特性測定装置に対してカメラを単純に追加するだけで、必要な情報を追加的に取得することができる。
【００５１】
（２）  既存の配光特性測定装置に対してカメラを単純に追加することで、同時測定が可能となり、これによって測定全体に要する時間を短縮できる。
【００５２】
＜Ｃ．適用例＞
次に、上述した本実施の形態に従う配光特性測定装置の適用例について説明する。以下の適用例では、自動車のヘッドライトをサンプル光源とした場合について説明する。
【００５３】
（ｃ１：配光特性測定）
まず、自動車のヘッドライトの配光特性を測定する例について説明する。図５は、光源２を撮像する場合のカメラの設置位置を説明するための図である。図６は、図５に示すそれぞれの設置位置において撮像された画像例を示す図である。
【００５４】
自動車のヘッドライトは横長であるため、１台のカメラ１０を用いて光源２の全体を撮像するためには、カメラ１０を光源２から約９００ｍｍの距離だけ離して設置する必要がある。図５（ａ）に示すように、光源２の全体がその撮像範囲に含まれるように１台のカメラ１０が設置される。この設置位置においてカメラ１０で撮像される画像を図６（ａ）に示す。図６（ａ）に示す画像においては、上部および下部に余分な部分（光源２の測定に利用できない情報）が発生し、空間分解能が低下することがわかる。
【００５５】
これに対して、並べて設置された２台のカメラ１１，１２を用いて光源２を撮像する場合には、図５（ｂ）に示すように、その合成した範囲が光源２の全体を含むように、カメラ１１，１２のそれぞれの撮像範囲が設定される。すなわち、その光軸が光源２の表面の垂直方向と一致するように配置されるとともに、並列に配置された２台のカメラ１１，１２を用いて、光源２をより拡大して撮像する。この設置位置においてカメラ１１，１２で撮像される画像を図６（ｂ）に示す。図６（ｂ）に示すそれぞれの画像は、一部をオーバーラップさせて光源２を撮像することになる。このように、複数台のカメラを用いることで、撮像エリアを拡大させることができる。これにより、カメラ１１，１２により撮像されたそれぞれの画像においては、上部および下部の余分な部分（光源２の測定に利用できない情報）が減少し、空間分解能を向上させることができる。
【００５６】
カメラ１１，１２によってそれぞれ撮像された画像は、それぞれの撮像範囲に応じて、合成される。図７は、図６（ｂ）に示すそれぞれの画像を合成して得られる合成画像を示す図である。なお、図７には、光源２であるヘッドライトのランプを消灯した状態を示す。図７に示すように、並列に配置された２台のカメラでそれぞれ撮像された画像を合成することで、１台のカメラを用いて光源２を撮像した画像と同等に扱うことができる。このような合成処理と同様の処理を用いて、光源２の配光特性が取得される。
【００５７】
（ｃ２：色度測定）
次に、光源２の色度を測定する例について説明する。図８は、光源２の色度を測定する場合のカメラの設置位置を説明するための図である。光源２に対する色度測定を行なう場合には、測定対象の３色に対応する等色関数の特性をそれぞれ有する３枚のバンドパスフィルターをカメラに装着し、同一位置（空間および角度）において、それぞれのフィルターを通じて撮像を行なう必要がある。
【００５８】
カメラを用いて色度を測定する場合には、同光路での測定が必要であるため、上述の関連技術では、１台のカメラに装着するフィルターを順次切り替えて３回ずつ測定する。
【００５９】
これに対して、本実施の形態においては、図８に示すように、３台のカメラ１１，１２，１３を並べて配置するとともに、それぞれのカメラに対してバンドパスフィルターを装着する。３台のカメラ１１，１２，１３を回転させつつ、各箇所での撮像（測定）を行なう。このとき、カメラ１１，１２，１３は、ゴニオメータの回転中心から同一の距離に維持されるとともに、それぞれの光軸が回転中心を向くように設置される。これにより、同一エリアに対して、複数の角度からの画像を同時に撮像することができ、色度の情報を取得できる。
【００６０】
さらに、図８に示す構成例では、測定全体に要する時間を短縮化するために、３台のカメラ（カメラ群）を２系統配置する。すなわち、カメラ１１，１２，１３に加えて、カメラ１１＃，１２＃，１３＃も光源２を撮像するように配置される。
【００６１】
図９は、図８に示すカメラ１１，１２，１３，１１＃，１２＃，１３＃によって撮像されたそれぞれの画像を合成して得られる色度測定結果を示す図である。図９は、カメラ１１がＸ軸角度＝０°、Ｙ軸角度＝０°である場合に光源２を撮像して得られる画像をカラー合成したものである。図１０は、図９に示す色度測定結果から算出された光源表面の配光特性を示す図である。図１１は、図１０に示す配光特性から算出された照度壁面の算出結果を示す図である。
【００６２】
図９に示すように、６台のカメラ１１，１２，１３，１１＃，１２＃，１３＃を用いてそれぞれ光源２を撮像することで、より高い空間分解能で色度測定を行なうことができる。図９に示す合成画像は、それぞれ３つの色度データで構成される。これらのデータをＸ軸角度＝０°、Ｙ軸角度＝０°（初期状態）における光源サンプルの映像をカラーに合成すると図１０に示すような結果となる。図１０に示す結果は、６台のカメラ１１，１２，１３，１１＃，１２＃，１３＃による撮像結果から算出されたものであり、光源２が固有に有する特性である。図１０に示す配光特性は、ヘッドライトの下向きランプのみが点灯された状態に相当するものであり、この算出結果は現実のサンプル光源をよく再現している。
【００６３】
さらに、図１０に示す配光特性に基づいて、光源２で２５ｍ先の壁を照射したときに得られる照度分布を算出した結果を図１１に示す。図１１に示す配光特性から算出された壁面照度の算出結果は、現実の壁面照度をよく表わしていることが確認されている。
【００６４】
＜Ｄ．配光特性測定装置の装置構成＞
次に、本実施の形態に従う配光特性測定装置の装置構成について説明する。配光特性測定装置は、複数の検出器（カメラ１１，１２，１３）を一体として駆動することで、複数の検出器（カメラ１１，１２，１３）の光源２に対する位置関係を更新する駆動手段を有する。以下の説明では、駆動手段の一例として、カメラ（検出器）を固定し光源を回転移動させる光源移動型と、光源を固定しカメラ（検出器）を回転移動させる検出器移動型とを例示する。駆動手段は、光源２と複数の検出器（カメラ１１，１２，１３）と間の位置関係（相対関係）を異なる２つの軸方向（以下の例では、Ｘ軸方向およびＹ軸方向）にそれぞれ独立に変更する。
【００６５】
カメラは、典型的には、ＣＣＤ（Charged Couple Device）イメージセンサーや、ＣＭＯＳ（Complementary Metal Oxide Semiconductor）イメージセンサーといった２次元センサーを有している。
【００６６】
（ｄ１：光源移動型）
図１２は、本実施の形態に従う配光特性測定装置１Ａの構成例（光源移動型）を示す模式図である。図１２に示す配光特性測定装置１Ａは、光源２が装着され、カメラ（検出器）を中心として当該装着された光源２を回転させるゴニオメータを有する。
【００６７】
より具体的には、配光特性測定装置１Ａは、ベース２０と、３台のカメラ１１，１２，１３と、ベース２０に装着されるとともに、カメラ１１，１２，１３を支持する検出器支持部２１と、ベース２０に装着されたＹ軸支持部２２と、Ｙ軸支持部２２に接続されたＹ軸モータ２６と、Ｙ軸モータ２６によって回転されるＹ軸回転アーム２３と、Ｙ軸回転アーム２３の先端に接続されたＸ軸モータ２５と、Ｘ軸モータ２５によって回転される光源支持部２４とを含む。Ｘ軸モータ２５の回転軸とＹ軸モータ２６の回転軸との交点に光源２が配置される。Ｘ軸モータ２５の回転およびＹ軸モータ２６の回転駆動によって、光源２はそれぞれＸ軸およびＹ軸を中心に自在回転する。但し、光源２の中心位置は、Ｘ軸およびＹ軸のいずれの回転があっても、当該交点に維持される。これによって、光源２とカメラ１１，１２，１３との間の相対関係が自在に変更される。
【００６８】
（ｄ２：検出器移動型）
図１３は、本実施の形態に従う配光特性測定装置１Ｂの構成例（検出器移動型）を示す模式図である。図１３に示す配光特性測定装置１Ｂは、カメラ（検出器）が装着され、光源２を中心として当該装着されたカメラを回転させるゴニオメータを有する。
【００６９】
より具体的には、配光特性測定装置１Ｂは、ベース３０と、３台のカメラ１１，１２，１３と、カメラ１１，１２，１３を支持する検出器支持アーム３３と、検出器支持アーム３３を回転するＹ軸モータ３６と、その一端がＹ軸モータ３６に接続されるとともに、Ｘ軸モータ３５によって回転されるＸ軸回転アーム３２と、ベース３０に配置されるＸ軸モータ３５とを含む。Ｘ軸モータ３５の回転軸とＹ軸モータ３６の回転軸との交点にカメラ１１，１２，１３（実際には、カメラ１１）が配置される。そして、Ｘ軸モータ３５の回転およびＹ軸モータ３６の回転駆動によって、カメラ１１，１２，１３はそれぞれＸ軸およびＹ軸を中心に自在回転する。但し、光源２の中心位置は、Ｘ軸およびＹ軸のいずれの回転があっても、当該交点に維持される。これによって、光源２とカメラ１１，１２，１３との間の相対関係が自在に変更される。
【００７０】
＜Ｅ．配光特性測定装置の電気的構成＞
次に、本実施の形態に従う配光特性測定装置の電気的構成について説明する。
【００７１】
（ｅ１：配光特性測定装置全体の電気的構成）
図１４は、本実施の形態に従う配光特性測定装置の電気的構成を示す模式図である。図１４を参照して、本実施の形態に従う配光特性測定装置は、上述のＸ軸モータ２５，３５およびＹ軸モータ２６，３６ならびにカメラ１１，１２，１３に加えて、コンピュータ１００およびトリガー装置１１０を含む。
【００７２】
コンピュータ１００は、ゴニオメータの回転制御を行なうとともに、カメラ１１，１２，１３でそれぞれ撮像された画像データを取得して処理する機能を有する。トリガー装置１１０は、ゴニオメータによる光源２とカメラ１１，１２，１３との間の相対関係の変更に連動して、カメラ１１，１２，１３による撮像タイミングを管理する。トリガー装置１１０の機能については、コンピュータ１００によって実現してもよいが、撮像タイミング（撮像位置）をより正確に制御する観点から、専用のハードウェア回路を含むトリガー装置１１０をコンピュータ１００とは別に配置することが好ましい。
【００７３】
より具体的には、コンピュータ１００は、Ｘ軸モータ２５（または、Ｘ軸モータ３５）およびＹ軸モータ２６（または、Ｙ軸モータ３６）に対して、それぞれ駆動用コマンドを送出する。この駆動用コマンドは、Ｘ軸モータおよびＹ軸モータの移動速度および／または目標位置などを含む。本実施の形態においては、光源２を中心とする全球面／半球面にわたって測定を行なう必要があるので、駆動用コマンドとしては、Ｙ軸に沿った一連の移動が完了するまで、Ｘ軸に沿った往復運動を繰り返すための命令を含む。コンピュータ１００は、送信開始タイミングで駆動用コマンドを送出し、駆動用コマンドを受けたＸ軸モータおよびＹ軸モータ（および、Ｘ軸モータおよびＹ軸モータを駆動するモータドライバ）はそれぞれ移動を開始する。Ｘ軸モータおよびＹ軸モータは、それぞれ回転量を示すモータ駆動パルスをトリガー装置１１０へ出力する。
【００７４】
トリガー装置１１０は、受信したモータ駆動パルスを所定数で分周してＸ軸およびＹ軸における現在位置（角度）を算出するとともに、予め定められた測定点に対応する角度間隔で、撮像を指示するトリガーパルスをカメラ１１，１２，１３へ出力する。
【００７５】
カメラ１１，１２，１３の各々は、トリガー装置１１０からトリガーパルスを受信すると、撮像を行ない、その撮像によって取得された画像データをコンピュータ１００へ出力する。カメラ１１，１２，１３は、トリガー装置１１０からトリガーパルスを受信するたびに、撮像および画像データの送信を繰り返す。コンピュータ１００は、画像データの撮像順序に基づいて、各撮像の測定位置（空間および角度）を特定する。そして、コンピュータ１００は、取得された画像データに対して、後述するような処理を行なうことで、光源２の特性を算出する。
【００７６】
図１４に示すような電気的構成を採用することで、ゴニオメータに多数のカメラが設置された場合であっても、コンピュータ１００における撮像タイミングの制御に係る負荷は増加しないので、カメラの設置台数への制約は少なくなる。
【００７７】
代替的な構成として、コンピュータ１００が１つのカメラに対してトリガーパルスを与え、当該カメラから他のいずれかのカメラへ当該受信したトリガーパルスを転送するように構成してもよい。このトリガーパルスを転送する構成を採用することで、コンピュータ１００に接続されたカメラから末端に位置するカメラまで、トリガーパルスを順次転送できる。このように、トリガーパルスを各カメラで分岐して後続のカメラに順次与えるように構成することで、カメラの追加をより容易に行なうことができる。
【００７８】
（ｅ２：コンピュータ１００の電気的構成）
図１５は、図１４に示すコンピュータ１００の内部構成を示す模式図である。コンピュータ１００は、典型的には、汎用のパーソナルコンピュータで構成される。より具体的には、図１５を参照して、コンピュータ１００は、ＣＰＵ（Central）１０１と、主メモリ１０２と、ＨＤＤ（Hard Disk Drive）１０３と、通信インターフェイス（Ｉ／Ｆ）１０４と、表示部１０５と、入力部１０６とを含む。これらのコンポーネントは、バス１０７を介して互いに通信可能に接続されている。
【００７９】
ＣＰＵ１０１は、ＨＤＤ１０３などの格納されているプログラムを実行することで、本実施の形態に従う機能を実現するための演算処理部である。主メモリ１０２は、ＣＰＵ１０１によるプログラムの実行に必要なワーキングエリアを提供する。このワーキングエリアには、プログラムに実行に必要な一時データや処理対象の画像データなどが格納される。ＨＤＤ１０３は、ＣＰＵ１０１で実行されるプログラムや処理の実行に必要なパラメータなどを不揮発的に記憶する。
【００８０】
ＨＤＤ１０３にはＣＰＵ１０１で実行されるプログラムが予めインストールされる。このプログラムのインストールは、各種の方法を採用できる。例えば、ＣＤ−ＲＯＭ（Compact Disk Read Only Memory）やＤＶＤ（Digital Versatile Disk）といった各種の記録媒体に格納されたプログラムを対応する装置で読み出してＨＤＤ１０３へ格納する方法、あるいはネットワークを介してプログラムをダウンロードする方法などを採用できる。
【００８１】
通信インターフェイス１０４は、他の装置とデータを遣り取りする。具体的には、通信インターフェイス１０４は、Ｘ軸モータおよびＹ軸モータに対して駆動用コマンドを出力するとともに、カメラで撮像された画像データを受信する。
【００８２】
表示部１０５は、撮像された画像データや測定結果を表示する。具体的には、表示部１０５は、ＬＣＤ（Liquid Crystal Display）やＣＲＴ（Cathode Ray Tube）などから構成される。入力部１０６は、ユーザからの操作を受付ける。具体的には、入力部１０６は、マウスやキーボードなどから構成される。コンピュータ１００には、必要に応じて、プリンタなどの他の出力装置が接続されてもよい。
【００８３】
本実施の形態に従う各種機能については、ＣＰＵ１０１がプログラムを実行することで提供される形態に代えて、その全部または一部を専用のプロセッサまたはＩＣ（集積回路）などを用いて実現するようにしてもよい。あるいは、専用のＬＳＩ（Large Scale Integration）を用いて実現してもよい。
【００８４】
＜Ｆ．全体処理手順＞
次に、本実施の形態に従う配光特性測定装置を用いて光源２の配光特性を測定する場合の処理手順について説明する。
【００８５】
図１６は、本実施の形態に従う配光特性測定装置を用いた配光特性測定の全体処理手順を示すフローチャートである。事前準備として、複数の検出器（カメラ）を、所定の相対関係をもって配置するとともに、１つの検出器の検出範囲の少なくとも一部を隣接する他の検出器の検出範囲と重複させて配置する。また、図１６に示す各ステップは、コンピュータ１００のＣＰＵ１０１およびトリガー装置１１０によって実行される。
【００８６】
図１６を参照して、測定開始が指示されると、コンピュータ１００のＣＰＵ１０１は、駆動用コマンドをＹ軸モータへ出力し、Ｙ軸に沿った移動を開始する（ステップＳ１）。続いて、コンピュータ１００のＣＰＵ１０１は、駆動用コマンドをＸ軸モータへ出力し、Ｘ軸に沿った移動を開始する（ステップＳ２）。ステップＳ１およびＳ２において、Ｘ軸およびＹ軸は、予め定められた角度範囲（典型的には、Ｘ軸およびＹ軸のそれぞれについて±１８０°）を予め定められた角度ステップ（１移動あたりの角度）で回転駆動される。このＸ軸およびＹ軸の移動の詳細については、後述する。
【００８７】
続いて、トリガー装置１１０は、Ｘ軸が予め定められた角度ステップ分移動したか否かを判断する（ステップＳ３）。より具体的には、トリガー装置１１０は、Ｘ軸モータからのモータ駆動パルスをカウントし、そのカウント値が予め定められた角度ステップに対応する値だけインクリメントされたか否かを判断する。Ｘ軸が予め定められた角度ステップ分移動していない場合（ステップＳ３においてＮＯの場合）には、ステップＳ２以下の処理が繰り返される。
【００８８】
Ｘ軸が予め定められた角度ステップ分移動した場合（ステップＳ３においてＹＥＳの場合）には、トリガー装置１１０は、トリガーパルスをそれぞれのカメラ１１，１２，１３へ出力する（ステップＳ４）。カメラ１１，１２，１３の各々は、トリガーパルスの受信に応答して撮像を行ない（ステップＳ５）、撮像によって得られた画像データをコンピュータ１００へ出力する（ステップＳ６）。すなわち、カメラ１１，１２，１３の各々は、トリガーパルスを受信することで撮像（測定）を開始する。
【００８９】
コンピュータ１００は、カメラ１１，１２，１３から受信したそれぞれの画像データを格納するとともに、トリガーパルスが出力されたタイミングに対応する測定点についての輝度を算出して、配光データとして格納する（ステップＳ７）。
【００９０】
このステップＳ７においては、複数の検出器（カメラ１１，１２，１３）が同一のタイミングで取得したそれぞれの検出結果（撮像されたそれぞれの画像）に基づいて、複数の検出器の相対関係および検出範囲の重複の少なくとも一方に応じた処理を行ない、光源２の配光特性を算出する。このデータ格納処理の詳細については、後述する。
【００９１】
続いて、トリガー装置１１０は、Ｘ軸が予め定められた角度範囲の移動を完了したか否かを判断する（ステップＳ８）。Ｘ軸が予め定められた角度範囲の移動を完了していない場合（ステップＳ８においてＮＯの場合）には、ステップＳ２以下の処理が繰り返される。すなわち、ステップＳ４〜Ｓ７に示す一連の処理が終了すると、Ｘ軸を次の位置へ移動させて、同様の処理を実行させる。
【００９２】
これに対して、Ｘ軸が予め定められた角度範囲の移動を完了した場合（ステップＳ８においてＹＥＳの場合）には、トリガー装置１１０は、Ｙ軸が予め定められた角度範囲の移動を完了したか否かを判断する（ステップＳ９）。Ｙ軸が予め定められた角度範囲の移動を完了していない場合（ステップＳ９においてＮＯの場合）には、ステップＳ１以下の処理が繰り返される。すなわち、Ｘ軸についての予め定められた角度範囲における測定処理が完了すると、Ｙ軸を次の位置へ移動させ、Ｘ軸については初期位置から一連の作業が繰り返される。
【００９３】
これに対して、Ｙ軸が予め定められた角度範囲の移動を完了した場合（ステップＳ９においてＹＥＳの場合）には、ステップＳ７において格納されたデータに基づいて、照度を算出する（ステップＳ１０）。すなわち、Ｘ軸およびＹ軸の両方についての移動測定が完了すると、照度が算出される。そして、処理は終了する。
【００９４】
＜Ｇ．Ｘ軸／Ｙ軸の移動方法＞
次に、図１６のステップＳ１およびＳ２に示すＸ軸およびＹ軸の移動方法について説明する。図１７は、本実施の形態に従う配光特性測定装置におけるＸ軸およびＹ軸の移動方法を説明するための図である。移動方法の一例として、図１７（ａ）は、Ｘ軸およびＹ軸の両方を同時に移動させる方式（両軸同時駆動方式）を示し、図１７（ｂ）は、Ｘ軸およびＹ軸の一方をそれぞれ移動させる方式（軸単独駆動方式）を示す。
【００９５】
図１７（ａ）に示す両軸同時駆動方式では、Ｙ軸方向に停止しないので、停止時にカメラが揺れるといった状態を回避できるという利点があり、かつ測定全体に要する時間を短縮化できるという利点もある。但し、カメラによる撮像点（測定点）のＹ軸における角度間隔は一定ではないので、データ格納処理などにおいて、角度間隔が一定ではないことによる誤差が発生しないような処理を行なう必要がある。
【００９６】
図１７（ｂ）に示す軸単独駆動方式は、Ｙ軸方向の移動が停止する際に、カメラに揺れが発生するので、この揺れによる誤差影響を受けないように対策を施す必要があるが、Ｙ軸上の撮像間隔を一定にできるため、後処理を簡素化できる。
【００９７】
図１７に示すように、Ｘ軸上には往復運動を繰り返すことになり、図１６のステップＳ３において説明したように、トリガー装置１１０は、Ｘ軸上の予め決められた角度間隔で、トリガーパルスをカメラ１１，１２，１３へ出力し、撮像を行なう。
【００９８】
＜Ｈ．データ格納処理＞
次に、図１６のステップＳ７に示すデータ格納処理の詳細について説明する。一例として、図１２に示す光源移動型の配光特性測定装置を用いた場合の処理手順について説明する。光源移動型の配光特性測定装置では、ゴニオメータによってＸ軸および／またはＹ軸の位置を変更すると光源２が移動する。このとき、カメラ１１，１２，１３に対する測定対象の光源２の撮像位置も変化する。
【００９９】
カメラ１１，１２，１３は、予め決められた光源２の表面位置について、各軸を移動させつつ測定するので、光源２の撮像位置を逐次特定（追従）する必要がある。そこで、本実施の形態においては、光源２に対する測定点を予め測定開始前に決定しておき、これを基準に移動に伴って測定されるデータに対する処理を行なう。処理の便宜上、各軸の中心を空間座標値（０，０，０）として、それぞれの測定点の空間座標値を決定する。
【０１００】
図１８は、図１６のステップＳ７に示すデータ格納処理の処理手順を示すフローチャートである。図１８に示す処理手順は、基本的には、互いに関連付けて設置されているカメラの台数分だけ並列的に実行される。複数のカメラの間で重複している撮像範囲内の情報に対しては、後述するような調整処理が実行される。
【０１０１】
図１８を参照して、まず、コンピュータ１００のＣＰＵ１０１は、カメラの視野範囲内のいずれか１つの測定点Ｖを選択する（ステップＳ７０１）。続いて、コンピュータ１００のＣＰＵ１０１は、初期空間座標値の取得処理を実行する（ステップＳ７０２）。この初期空間座標値の取得処理では、カメラの視野範囲内にある複数の測定点のうち１つが測定点Ｖとして選択され、カメラ１１，１２，１３が初期状態（Ｘ軸角度＝０°、Ｙ軸角度＝０°）にあるときの当該測定点Ｖが存在する空間座標値（初期空間座標値）が取得される。
【０１０２】
続いて、コンピュータ１００のＣＰＵ１０１は、Ｘ軸角度およびＹ軸角度を取得する（ステップＳ７０３）とともに、測定空間座標値の算出処理を実行する（ステップＳ７０４）。この測定空間座標値の算出処理では、Ｘ軸および／またはＹ軸の回転に伴って移動する測定点Ｖの座標値が算出される。より具体的には、ステップＳ７０２において算出された測定点Ｖについての初期空間座標値とＸ軸角度およびＹ軸角度とから、測定点Ｖの移動後の空間座標値が算出される。
【０１０３】
続いて、コンピュータ１００のＣＰＵ１０１は、測定角度の算出処理を実行する（ステップＳ７０５）。この測定角度の算出処理では、測定点Ｖの移動後の空間座標値に対するカメラ１１，１２，１３の見込み角度を算出し、Ｘ軸およびＹ軸におけるそれぞれの移動角度に当該見込み角度を加算することで、測定角度が算出される。
【０１０４】
続いて、コンピュータ１００のＣＰＵ１０１は、測定撮像座標値の算出処理を実行する（ステップＳ７０６）。この測定撮像座標値の算出処理では、カメラの撮像範囲内における測定点Ｖの座標値（カメラの撮像座標値）が算出される。すなわち、カメラの撮像座標値と測定点Ｖとの位置関係は、測定座標値とカメラの撮像座標値との関係に相当し、測定点Ｖの空間座標値を与えることで、カメラの撮像座標値を算出できる。すなわち、カメラの撮像位置から測定点Ｖを特定できる。
【０１０５】
続いて、コンピュータ１００のＣＰＵ１０１は、測定値の取得処理を実行する（ステップＳ７０７）。この測定値の取得処理では、撮像された画像から特定した測定点Ｖの値（明るさ）を読み取る。カメラ１１，１２，１３にＹ視感度フィルターが装着されている場合には、撮像画像の明暗が明るさ（Ｙ値）を示すことになる。
【０１０６】
続いて、コンピュータ１００のＣＰＵ１０１は、測定値の格納処理を実行する（ステップＳ７０８）。この測定値の格納処理では、ステップＳ７０７において取得された測定点Ｖの値が、測定点Ｖの測定角度（ステップＳ７０５において算出）および初期空間座標値（ステップＳ７０２において算出）と関連付けて格納される。
【０１０７】
そして、コンピュータ１００のＣＰＵ１０１は、カメラの視野範囲内にあるすべての測定点に対する処理が完了したか否かを判断する（ステップＳ７０９）。カメラの視野範囲内にあるすべての測定点に対する処理が完了していない場合（ステップＳ７０９においてＮＯの場合）には、コンピュータ１００のＣＰＵ１０１は、別の測定点Ｖを選択し（ステップＳ７１０）、ステップＳ７０２以下の処理を実行する。
【０１０８】
一方、カメラの視野範囲内にあるすべての測定点に対する処理が完了した場合（ステップＳ７０９においてＹＥＳの場合）には、処理はリターンする。
【０１０９】
以下、主要なステップの処理内容について、より詳細に説明する。
（ｈ１：カメラ視野範囲内の測定点の選択処理および測定値の取得処理）
まず、図１８のステップＳ７０１およびＳ７１０に示すカメラ視野範囲内の測定点の選択処理、ならびにステップＳ７０７に示す測定値の取得処理について説明する。図１９は、図１８におけるカメラ視野範囲内の測定点の選択処理および測定値の取得処理を説明するための図である。
【０１１０】
図１９を参照して、測定点Ｖは、カメラで撮像される画像（ＣＣＤなどの２次元センサー上の撮像画像ピクセル）内の座標として特定される。ステップＳ７０７において測定点Ｖの測定値が取得される場合には、測定点Ｖを含む１または複数のピクセルの輝度が取得される。好ましくは、測定点Ｖを基準として設定される予め定められたエリア内（測定点計測エリア）における撮像画像の明るさの積算平均値が用いられる。
【０１１１】
ここで、測定点計測エリアの大きさは適宜設定すればよい。測定点計測エリアを大きくすると、Ｓ／Ｎ（Signal to Noise）比は向上するが、測定立体角が広がるため、測定角度の分解能が低下し得る。そのため、要求される分解能などに応じて、測定点計測エリアの大きさは適宜設計される。
【０１１２】
（ｈ２：測定空間座標値の算出処理）
次に、図１８のステップＳ７０４に示す測定空間座標値の算出処理について説明する。図２０は、図１８における測定空間座標値の算出処理を説明するための図である。図２０には、一例として、まず、初期位置ＡがＸ軸に沿って移動角度（Ｘ軸移動角度）φｘだけ回転されてＸ軸移動後の位置Ｂへ移動し、さらに、Ｙ軸に沿って移動角度（Ｙ軸移動角度）φｙだけ回転されてＹ軸移動後の位置Ｃへ移動した場合を考える。
【０１１３】
図２０（ａ）に示すように、Ｘ軸移動後の位置Ｂの座標値（ｘｂ，ｙｂ，ｚｂ）は、初期位置Ａの座標値（ｘａ，ｙａ，ｚａ）および移動角度φｘを用いて、以下のように算出される。
【０１１４】
ｘｂ＝ｘａ＊ｃｏｓφｘ−ｚａ＊ｓｉｎφｘ
ｙｂ＝ｙａ
ｚｂ＝ｘａ＊ｓｉｎφｘ−ｚａ＊ｃｏｓφｘ
続いて、図２０（ｂ）に示すように、さらにＹ軸移動後の位置Ｃの座標値（ｘｃ，ｙｃ，ｚｃ）について検討する。
【０１１５】
Ｘ軸移動後の位置Ｂと中心座標との距離Ｒは、以下のようになる。
Ｒ＝ｙｂ／ｃｏｓθ
また、位置Ｂと中心座標のＹ軸とのなす角度θは、以下のようになる。
【０１１６】
θ＝ａｔａｎ（ｚｂ／ｙｂ）
これらの値を利用して、Ｙ軸移動後の位置Ｃの座標値（ｘｃ，ｙｃ，ｚｃ）は、以下のように算出される。
【０１１７】
ｘｃ＝ｘｂ＝ｘａ＊ｃｏｓφｘ−ｚａ＊ｓｉｎφｘ
ｙｃ＝Ｒ＊ｃｏｓ（φｙ＋θ）
ｚｃ＝Ｒ＊ｓｉｎ（φｙ＋θ）
Ｘ軸方向および／またはＹ軸方向のいずれの回転であっても、上述と同様の方法で順次算出できる。
【０１１８】
（ｈ３：測定角度の算出処理）
次に、図１８のステップＳ７０５に示す測定角度の算出処理について説明する。図２１および図２２は、図１８における測定角度の算出処理を説明するための図である。より具体的には、図２１は見込み角度の算出方法を示し、図２２は移動角度から測定角度を算出する方法を示す。
【０１１９】
図２１（ａ）に示すように、カメラ設置位置をＣａｍｅｒａ（ｐｘｃ，ｐｙｃ，ｐｚｃ）とし、カメラの視野範囲内のいずれか１つの測定点Ｖの座標値を（ｘｖ，ｙｖ，ｚｖ）とする。この測定点Ｖは、光源２上の発光点に対応する。図２１（ｂ）に示すように、各軸の中心を空間座標値（０，０，０）とすると、測定点Ｖの見込み角度θｘ，θｙは、それぞれ以下のようになる。
【０１２０】
θｘ＝ａｔａｎ｛（ｘｖ−ｐｘｃ）／（ｚｖ−ｐｚｃ）｝
θｙ＝ａｔａｎ｛（ｙｖ−ｐｙｃ）／（ｚｖ−ｐｚｃ）｝
次に、図２２に示すような手順に従って、測定点Ｖの移動角度から測定角度が算出される。例えば、測定点ＶがＸ軸に沿って移動角度（Ｘ軸移動角度）φｘだけ回転したとする。このＸ軸に沿った回転によって、初期状態の測定点Ｖが測定点Ｖ’（ｘｖ’，ｙｖ，ｚｖ’）に移動したとする。移動後の測定点Ｖ’の空間座標は、回転移動量と測定座標との関係から算出される。測定点Ｖ’の見込み角度θｘ’は、以下の式で算出される。
【０１２１】
θｘ’＝ａｔａｎ｛（ｘｖ’−ｐｘｃ）／（ｚｖ’−ｐｚｃ）｝
そして、測定点Ｖ’についての測定角度は、移動角度φｘ−見込み角度θｘ’として算出できる。
【０１２２】
（ｈ４：測定撮像座標値の算出処理）
次に、図１８のステップＳ７０６に示す測定撮像座標値の算出処理について説明する。図２３は、図１８における測定撮像座標値の算出処理を説明するための図である。
【０１２３】
図２３を参照して、撮像座標空間をその中心が軸中心に一致するように設定する。また、Ｘ座標面およびＹ座標面は、各回転軸と垂直な面とする。
【０１２４】
測定点Ｖに対するカメラの撮像角度θｘおよびθｙは、以下の式で算出される。
θｘ＝ａｔａｎ（（ｐｚｃ−ｚｖ）／ｘｖ）
θｙ＝ａｔａｎ（（ｐｚｃ−ｚｖ）／ｙｖ）
カメラの撮像面（撮像空間座標）は、Ｚ座標が０であるＸ−Ｙ平面と仮定する。このとき、撮像面上の撮像座標値Ｃ（ｘｃ，ｙｃ，ｚｃ）は、撮像角度θｘおよびθｙから以下の式で算出される。
【０１２５】
ｘｃ＝ｐｚｃ＊ｔａｎθｘ
ｙｃ＝ｐｚｃ＊ｔａｎθｙ
ｚｃ＝０
カメラの２次元センサー（ＣＣＤ）上の座標に対する座標は、以下の式で算出される。
【０１２６】
ｐｘ＝ｘｃ＊（ｃｃｄ＿ｘ＿ｎｕｍ／ｗｉｄｔｈ）
ｐｙ＝ｙｃ＊（ｃｃｄ＿ｙ＿ｎｕｍ／ｈｅｉｇｈｔ）
但し、ｃｃｄ＿ｘ＿ｎｕｍおよびｃｃｄ＿ｙ＿ｎｕｍは、それぞれＣＣＤの横側画素数および縦側画素数を示し、ｗｉｄｔｈおよびｈｅｉｇｈｔは、それぞれ撮像範囲の横幅および縦幅を示す。
【０１２７】
（ｈ５：測定値の取得処理および格納処理）
次に、図１８のステップＳ７０７に示す測定値の取得処理およびステップＳ７０８に示す測定値の格納処理について説明する。図２４および図２５は、図１８における測定値の取得処理および格納処理を説明するための図である。
【０１２８】
図２４（ａ）に示すように、各測定点について、測定角度毎の輝度が取得される。この輝度の取得処理については、図１９を参照して説明した。測定角度毎の輝度の集合が輝度配光データとなる。図２４（ｂ）に示すように、各測定点について、各測定角度における輝度が取得される。すなわち、測定点の数に相当する複数の測定角度の各々について輝度が取得される。このように、本実施の形態においては、検出器（カメラ）の検出範囲（撮像範囲）に含まれる複数の測定点の別に、配光特性が算出される。
【０１２９】
例えば、図２５に示すような配列構造を利用して、測定角度に関連付けられたそれぞれの輝度が格納される。この配列構造に格納されるそれぞれの輝度が輝度配光データの要素となる。すなわち、各測定点について、測定角度（Ｘ軸成分およびＹ軸成分）における輝度が２次元配列で格納される。光源が配光特性を有する場合には、図２５に示すように、輝度の大きさが測定角度毎に異なる。
【０１３０】
もちろん、図２５に示すような配列構造に代えて、任意のデータ格納方法を採用してもよい。
【０１３１】
＜Ｉ．照度算出処理＞
次に、図１６のステップＳ１０に示す照度算出処理の詳細について説明する。この照度算出処理においては、算出対象の位置に入射する光源からの光線（輝度）をその配光特性を考慮して合算することで、当該位置における照度を算出する。そのため、照度を算出する位置に入射する測定点を特定するとともに、各測定点の見込み角度を反映して、その輝度を合算する処理を実行する。
【０１３２】
図２６は、図１６のステップＳ１０に示す照度算出処理の処理手順を示すフローチャートである。図２６に示す各ステップは、主として、コンピュータ１００のＣＰＵ１０１が実行する。
【０１３３】
図２６を参照して、コンピュータ１００のＣＰＵ１０１は、照度算出位置の決定処理を実行する（ステップＳ１００１）。この照度算出位置の決定処理において、ＣＰＵ１０１は、照度を算出すべき領域（典型的には、壁面）を任意に設定し、その設定した領域に含まれる１つの点を照度算出位置として決定し、その空間座標を取得する。
【０１３４】
続いて、コンピュータ１００のＣＰＵ１０１は、先に輝度配光データを取得した複数の測定点のうちいずれか１つの測定点を選択する（ステップＳ１００２）。続いて、コンピュータ１００のＣＰＵ１０１は、選択した測定点について、照度算出位置に対する測定点の見込み角度を算出する（ステップＳ１００３）。この見込み角度の算出処理の詳細については、後述する。
【０１３５】
続いて、コンピュータ１００のＣＰＵ１０１は、選択した測定点に関連付けられた輝度配光データから、ステップＳ１００３において算出した見込み角度の輝度を検索する（ステップＳ１００４）。すなわち、算出された見込み角度に対応する輝度が検索される。
【０１３６】
続いて、コンピュータ１００のＣＰＵ１０１は、算出された見込み角度の近傍にある輝度配光データが格納されている格納アドレスを取得するとともに、検索した配光データの範囲に含まれる輝度を近似化することで、選択された測定点の輝度を算出する（ステップＳ１００５）。そして、コンピュータ１００のＣＰＵ１０１は、光度補正係数を用いて、算出した輝度を光度に変換し、選択されている照度算出位置に関連付けられた照度格納データに当該算出した光度を加算する（ステップＳ１００６）。
【０１３７】
そして、コンピュータ１００のＣＰＵ１０１は、先に輝度配光データを取得した複数の測定点のすべてについて選択が完了したか否かを判断する（ステップＳ１００７）。複数の測定点のうち選択が完了していないものがある場合（ステップＳ１００７においてＮＯの場合）には、ＣＰＵ１０１は、別の測定点を選択し（ステップＳ１００８）、ステップＳ１００３以下の処理を実行する。
【０１３８】
これに対して、複数の測定点のすべてについて選択が完了した場合（ステップＳ１００７においてＹＥＳの場合）には、ＣＰＵ１０１は、選択されている照度算出位置に関連付けられた照度格納データの値を、当該照度算出位置における照度として出力する（ステップＳ１００９）。
【０１３９】
すなわち、１つの照度算出位置について、すべての測定点について輝度（あるいは、変換によって得られる光度）の加算処理が実行される。そして、すべての測定点についての照度格納データへの加算処理が完了すると、その加算結果が対応する照度算出位置における照度となる。
【０１４０】
この一連の処理が他の照度算出位置についてもそれぞれ実行される。すなわち、照度を算出すべき領域から照度算出位置が順次特定され、上述した処理が繰り返し実行される。より具体的には、コンピュータ１００のＣＰＵ１０１は、照度を算出すべきとして設定された領域に含まれる複数の照度算出位置のすべてについて選択が完了したか否かを判断する（ステップＳ１０１０）。複数の照度算出位置のうち選択が完了していないものがある場合（ステップＳ１０１０においてＮＯの場合）には、ＣＰＵ１０１は、別の照度算出位置を選択し（ステップＳ１０１１）、ステップＳ１００２以下の処理を実行する。
【０１４１】
これに対して、複数の照度算出位置のすべてについて選択が完了した場合（ステップＳ１０１０においてＹＥＳの場合）には、処理はリターンする。
【０１４２】
（ｉ１：照度算出位置の決定処理）
まず、図２６のステップＳ１００１に示す照度算出位置の決定処理について説明する。図２７は、図２６における照度算出位置の決定処理を説明するための図である。
【０１４３】
図２７を参照して、一般に、照度算出位置は、Ｘ−Ｙ座標系、α−β座標系、φ−θ座標系で与えられる。図２７（ａ）は、Ｘ−Ｙ座標系で照度の算出対象となる領域を定義した場合の例を示す。照度算出位置は、これらの領域上に設定される。典型的には、いずれかの座標系において等間隔に設定される位置が照度算出位置となる。図２７（ａ）に示す例では、Ｘ軸ステップおよびＹ軸ステップの間隔で照度算出位置が設定される。すべての空間に照度算出位置を設定した例を図２７（ｂ）に示す。
【０１４４】
計算の便宜上、軸の中心を空間座標の原点（０，０，０）として、設定された照度算出位置を示す空間座標値が決定される。
【０１４５】
（ｉ２：照度算出位置に対する測定点の見込み角度の算出処理）
次に、図２６のステップＳ１００３に示す照度算出位置に対する測定点の見込み角度の算出処理について説明する。図２８は、図２６における照度算出位置に対する測定点の見込み角度の算出処理を説明するための図である。
【０１４６】
図２８に示すように、いずれか１つの測定点Ｖの座標値を（ｘｖ，ｙｖ，ｚｖ）とし、照度算出位置Ｇの座標値を（ｘｇ，ｙｇ，ｚｇ）とする。このとき、照度算出位置Ｇに対する測定点Ｖの見込み角度Θｘ，Θｙは、それぞれ以下のようになる。
【０１４７】
Θｘ＝ａｔａｎ｛（ｘｇ−ｘｖ）／（ｚｇ−ｚｖ）｝
Θｙ＝ａｔａｎ｛（ｙｇ−ｙｖ）／（ｚｇ−ｚｖ）｝
（ｉ３：見込み角度の輝度の検索処理）
次に、図２６のステップＳ１００４に示す見込み角度の輝度の検索処理について説明する。図２９は、図２６における見込み角度の輝度の検索処理を説明するための図である。
【０１４８】
上述した図２５に示すような配列構造を利用して、測定角度に関連付けられたそれぞれの輝度が格納される。このような配列構造を利用して、照度算出位置に対する測定点の見込み角度Θｘ，Θｙとの前後に対応する、配光データにおける格納アドレス（見込み角度θｘ，θｙ）が検索される。
【０１４９】
図２９に示す例では、２次元配列上の見込み角度Θｘと見込み角度Θｙとの交点３００に隣接する４つの格納アドレス（配列位置３０１，３０２，３０３，３０４）が検索される。すなわち、対応する照度算出位置では、これらの検索された４つのアドレスに囲まれた範囲の照度値が生じると判断できる。
【０１５０】
（ｉ４：測定点における輝度の算出処理）
次に、図２６のステップＳ１００５に示す測定点における輝度の算出処理について説明する。図３０は、図２６における測定点における輝度の算出処理を説明するための図である。
【０１５１】
上述の図２９を用いて説明したように、照度算出位置に対する測定点の見込み角度Θｘ，Θｙの近傍にある格納アドレスに格納されたデータに基づいて、輝度が算出される。例えば、図３０（ａ）を参照して、配光角度（ｘｅ１，ｙｅ１），（ｘｅ２，ｙｅ１），（ｘｅ２，ｙｅ２），（ｘｅ１，ｙｅ２）に対応する輝度で定義される輝度面について、当該輝度面上の照度算出軸に対応する輝度が算出される。照度算出軸は、照度算出位置に対する測定点の見込み角度Θｘ，Θｙに対応して定義されるものであり、Ｘ軸角度γｘおよびＹ軸角度γｙを用いて定義される。
【０１５２】
より具体的には、図３０（ｂ）に示すように、一次補間を利用して、隣接の輝度配光データから照度算出位置の輝度が算出される。図３０（ｂ）の例では、測定輝度Ｌ（ｘｅ１，ｙｅ２）および（ｘｅ２，ｙｅ２）の２点を通る直線を近似直線Ｌ１（γｘ，ｙｅ２）とする。同様に、測定輝度Ｌ（ｘｅ１，ｙｅ１）および（ｘｅ２，ｙｅ１）の２点を通る直線を近似直線Ｌ２（γｘ，ｙｅ１）とする。さらに、近似直線Ｌ１と近似直線Ｌ２とを通る直線から近似直線Ｌ３（γｘ，γｙ）を決定し、照度算出点からの見込み角（γｘ，γｙ）に対応する輝度に算出する。
【０１５３】
（ｉ５：照度格納データへの光度の加算処理）
次に、図２６のステップＳ１００６に示す照度格納データへの光度の加算処理について説明する。図３１は、図２６における照度格納データへの光度の加算処理を説明するための図である。ある照度算出位置における照度は、当該照度算出位置に入射する光の強度（光度）の総和として算出できる。
【０１５４】
まず、ＣＰＵ１０１は、光度補正係数ｋを用いて、算出された各測定点の輝度Ｌを光度Ｉに変換する。ここで、照度Ｅは、光度Ｉに比例するとともに、光源からの距離ｄの二乗に半比例するので、各測定点からの照度Ｅは以下の式で算出される。
【０１５５】
照度Ｅ（ｌｘ）＝光度Ｉ（ｃｄ）／距離ｄ（ｍｍ）２
なお、距離ｄについては、照度算出位置Ｇ（ｘｇ，ｙｇ，ｚｇ）と各測定点の座標値とに応じて順次算出される。
【０１５６】
そして、照度算出位置における照度は、それぞれの測定点からの照度Ｅの総和となる。このようにして、照度算出位置Ｇにおける照度が算出される。
【０１５７】
＜Ｊ．複数カメラに係る調整処理＞
本実施の形態においては、所定の相対関係をもって配置された複数の検出器を用いて光源を測定する。上述した測定処理は、検出器毎に互いに独立して実行することができる。この場合、光源の同一の領域について評価した結果については、検出器の間で互いに干渉しないような調整処理が実行される。
【０１５８】
一方、光源から複数の情報（色度および波長情報など）を取得するために、それぞれの複数の検出器を用いる場合には、検出器の間で互いに干渉は生じないので、検出器の間の相対的な位置関係を利用して、効率的に情報を取得する処理が実行される。
【０１５９】
（ｊ１：発光面が広い光源／複数の発光点を有する光源）
上述したように、発光面が広い光源および／または複数の発光点を有する光源の配光特性を測定する際には、上述の図４（ａ）に示すように、平行に配置された複数のカメラ１１，１２が用いられる。この場合、カメラ１１，１２の撮像範囲は互いに重複しており、この重複している範囲の測定結果を適切に調整する必要がある。より具体的には、重複している検出範囲について対応する複数の検出器（カメラ）が算出したそれぞれの結果のうち１つの検出器が算出した結果のみを有効化する。
【０１６０】
図３２は、本実施の形態に従う配光特性測定装置において複数のカメラを平行配置した構成を示す模式図である。図３２を参照して、光源を複数のカメラを用いて撮像することで、視野範囲（撮像範囲）を拡大する場合には、その光軸方向がＸ−Ｙ平面に対して垂直になすように、それぞれのカメラを設置する。また、カメラ同士は平行に設置する。
【０１６１】
それぞれのカメラの撮像面１１Ｐ，１２Ｐ上の撮像座標値と各測定点との関係は、それぞれのカメラの設置位置（設置空間座標値）と測定点の空間座標値とを用いて、上述の図２３を参照して説明したように、算出できる。
【０１６２】
例えば、図３２に示す重複範囲に含まれる測定点については、カメラ１１および１２のいずれの検出結果からも評価できる。そのため、複数のカメラで同一の測定点を測定する場合には、いずれか一方のカメラによる測定結果を無効化する処理、あるいは、同一の測定点についての測定結果を平均化するといった処理を実行する。これにより、重複して測定されることで測定結果が本来の値からずれるといった事態を回避できる。
【０１６３】
（ｊ２：複数のデータ（色度および波長情報など）の測定）
上述したように、光源から複数の情報（色度および波長情報など）を測定する際には、測定対象の情報に対応する複数のカメラを光源からの距離が同一となるように並べて設置する。各カメラは、複数の情報のうち割り当てられた１つの情報を測定する。このため、各カメラの前段には、測定対象の情報に応じた光学フィルターが装着される。
【０１６４】
図３３は、本実施の形態に従う配光特性測定装置において複数のカメラを所定角度ずらして配置した構成を示す模式図である。図３３を参照して、カメラ１１，１２，１３は、互いに同等の性能を有している。カメラ１２および１３は、カメラ１１に対して、Ｘ軸またはＹ軸の中心から角度θだけずらした位置に設置される。すなわち、カメラ１１，１２，１３の全体を、角度θがずれている方向に同じ角度θだけ回転させると、カメラ１２またはカメラ１３の回転後の設置座標は、カメラ１１の回転前の設置座標と一致する。
【０１６５】
言い換えれば、これらのカメラ１１，１２，１３を用いて同時に撮像すると、カメラ１１の設置位置（移動角度）における画像と、当該カメラ１１の移動角度に対して角度θだけずれた（加算および減算された）位置における画像（撮像面１２Ｐ，１３Ｐ）とが取得されることになる。そのため、第１の検出器（カメラ１１）があるタイミングで取得した第１の検出結果（撮像画像）を第１の検出器の位置情報（移動角度）に関連付けて格納するとともに、第２の検出器（カメラ１２，１３）が当該タイミングで取得した第２の検出結果を、第１の検出器の位置情報を第１および第２の検出器の間の相対関係（角度θ）に応じて補正することで得られる位置情報（移動角度＋角度θ）に関連付けて格納する。
【０１６６】
すなわち、カメラ１１が原点位置（移動角度＝０°）である場合には、カメラ１２で撮像された画像は、移動角度＝θにおいて撮像された画像に相当し、カメラ１３で撮像された画像は、移動角度＝−θにおいて撮像された画像に相当する。そのため、配光データとして格納する場合には、カメラ１２およびカメラ１３によって取得された配光データについては、同時に撮像されたカメラ１１の配光データに対応する移動角度から角度θだけ加算／減算した移動角度に関連付けて格納される。
【０１６７】
光源から複数の情報（色度および波長情報など）を測定する場合には、カメラ１１，１２，１３による測定結果は互いに干渉しないので、それぞれの測定結果を調整する必要はない。所定の測定範囲にわたって、これらのカメラを移動させながら測定することで、最終的に必要な情報を取得できる。すなわち、カメラ１１，１２，１３を３６０°回転させる場合には、カメラ１１の移動角度は０°から３６０°まで変化し、配光データはこの移動角度に関連付けて格納される。これに対して、カメラ１２の移動角度はθから（θ＋３６０）°まで変化し、配光データはこの移動角度に関連付けて格納される。同様に、カメラ１２の移動角度は−θから（−θ＋３６０）°まで変化し、配光データはこの移動角度に関連付けて格納される。言い換えれば、あるタイミングにおいてそれぞれのカメラによって撮像された画像から算出された測定結果は、それぞれのカメラの移動角度に関連付けて格納されることになるが、測定範囲に亘って測定操作を繰り返し行なうことで、最終的には、必要な測定範囲に亘る複数の情報を取得できる。
【０１６８】
（ｊ３：複数系統のカメラ群）
上述の図８を参照して説明したように、複数のデータ（色度および波長情報など）を測定するために複数のカメラ（カメラ群）を設置するとともに、同様のカメラ群をさらに設置してもよい。すなわち、図８に示すように、カメラ１１，１２，１３に加えて、カメラ１１＃，１２＃，１３＃が光源２を撮像するように配置される。
【０１６９】
例えば、色度を測定する場合には、カメラ１１，１２，１３（Ｃａｍｅｒａ１ｘ，１ｙ，１ｚ）に対して、それぞれ色度フィルターが装着されるとともに、カメラ１１＃，１２＃，１３＃（Ｃａｍｅｒａ２ｘ，２ｙ，２ｚ）に対しても、それぞれ同様の色度フィルターが装着される。カメラ１１，１２，１３と、カメラ１１＃，１２＃，１３＃とは互いに平行に配置される。
【０１７０】
図３４は、複数系統のカメラ群を用いた場合における光度の加算処理を説明するための図である。図３４を参照して、カメラ１１，１２，１３（Ｃａｍｅｒａ１ｘ，１ｙ，１ｚ）が測定点Ｖ１およびＶ２について３つ（色度Ｘ，Ｙ，Ｚ）のパラメータの配光特性を取得し、カメラ１１，１２，１３（Ｃａｍｅｒａ１ｘ，１ｙ，１ｚ）が測定点Ｖ３およびＶ４について３つ（色度Ｘ，Ｙ，Ｚ）のパラメータの配光特性を取得したものとする。これらの取得されたパラメータは、カメラ別に格納されることになる。
【０１７１】
そのため、カメラ同士で撮像範囲の重複がなければ、隣接するカメラ同士の間で測定点Ｖ１〜Ｖ４についての測定結果を共有して、上述の図３１を参照して説明したのと同様の方法で、各測定点からの放射される輝度（色度）を加算することで、任意の色度算出位置における色度を算出できる。
【０１７２】
また、隣接するカメラ同士で撮像範囲が重複する場合には、上述の（ｊ１）項において説明したのと同様の方法で、測定点の重複が排除された上で、加算処理が実行される。
【０１７３】
＜Ｋ．利点＞
本実施の形態に従う配光特性測定装置によれば、複数の検出器（カメラ）で光源を撮像できるので、光源の大きさに影響されることなく、空間分解能を維持しつつ、配光特性を測定できる。また、互いに離れた複数の発光点を有する光源に対しても、空間分解能を維持しつつ、配光特性を測定できる。さらに、複数の検出器を用いて同時に撮像（測定）を行なうので、測定全体に係る時間を短縮化できる。
【０１７４】
上述した説明によって、本実施の形態に従う配光特性測定装置に係るそれ以外の利点については明らかになるであろう。
【０１７５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１７６】
１Ａ，１Ｂ  配光特性測定装置、２，２Ａ，２Ｂ  光源、１０，１１，１２，１３  カメラ、２０，３０  ベース、２１  検出器支持部、２２  Ｙ軸支持部、２３  Ｙ軸回転アーム、２４  光源支持部、２５，３５  Ｘ軸モータ、２６，３６  Ｙ軸モータ、３２  Ｘ軸回転アーム、３３  検出器支持アーム、１００  コンピュータ、１０１  ＣＰＵ、１０２  主メモリ、１０３  ＨＤＤ、１０４  通信インターフェイス、１０５  表示部、１０６  入力部、１０７  バス、１１０  トリガー装置。
【図１】
0005944719.tif 000002
【図２】
0005944719.tif 000003
【図３】
0005944719.tif 000004
【図４】
0005944719.tif 000005
【図５】
0005944719.tif 000006
【図８】
0005944719.tif 000007
【図１２】
0005944719.tif 000008
【図１３】
0005944719.tif 000009
【図１４】
0005944719.tif 000010
【図１５】
0005944719.tif 000011
【図１６】
0005944719.tif 000012
【図１７】
0005944719.tif 000013
【図１８】
0005944719.tif 000014
【図１９】
0005944719.tif 000015
【図２０】
0005944719.tif 000016
【図２１】
0005944719.tif 000017
【図２２】
0005944719.tif 000018
【図２３】
0005944719.tif 000019
【図２４】
0005944719.tif 000020
【図２５】
0005944719.tif 000021
【図２６】
0005944719.tif 000022
【図２７】
0005944719.tif 000023
【図２８】
0005944719.tif 000024
【図２９】
0005944719.tif 000025
【図３０】
0005944719.tif 000026
【図３１】
0005944719.tif 000027
【図３２】
0005944719.tif 000028
【図３３】
0005944719.tif 000029
【図３４】
0005944719.tif 000030
【図６】
0005944719.tif 000031
【図７】
0005944719.tif 000032
【図９】
0005944719.tif 000033
【図１０】
0005944719.tif 000034
【図１１】
0005944719.tif 000035